(57)【要約】 【課題】  面状発光体を簡素な構造によって安定した状態で保持する。【解決手段】    厚み方向における少なくとも一方の面が光を出射する出光面として形成され屈曲可能な面状発光体と、面状発光体が係合される係合部を有するホルダーとを備え、面状発光体は少なくとも一部が屈曲された状態で係合部に係合されることによりホルダーによって保持される。これにより、面状発光体がホルダーの係合部に係合されることにより屈曲された状態で保持されるため、面状発光体を簡素な構造によって安定した状態で保持することができる。【選択図】図４
2018160396.tif 000002
【特許請求の範囲】
【請求項１】
厚み方向における少なくとも一方の面が光を出射する出光面として形成され屈曲可能な面状発光体と、
前記面状発光体が係合される係合部を有するホルダーとを備え、
前記面状発光体は少なくとも一部が屈曲された状態で前記係合部に係合されることにより前記ホルダーによって保持される
灯具。
【請求項２】
前記ホルダーに前記面状発光体の一部が挿入される挿入部が設けられ、
前記挿入部の少なくとも一部が前記係合部として設けられた
請求項１に記載の灯具。
【請求項３】
前記挿入部には対向して位置された第１の面と第２の面が形成され、
前記係合部が前記第１の面から前記第２の面側に突出され、
前記挿入部に前記第２の面から前記第１の面側に突出され前記挿入部に挿入された前記面状発光体を押さえる押さえ突部が設けられた
請求項２に記載の灯具。
【請求項４】
前記挿入部として挿入溝が形成され、
前記挿入溝の幅方向における両側の面が前記係合部として形成され、
前記挿入溝の少なくとも一部がクランク形状又は蛇行形状に形成された
請求項２に記載の灯具。
【請求項５】
前記係合部が二つ設けられ、
前記面状発光体は一端部が一方の前記係合部に係合され他端部が他方の前記係合部に係合される
請求項１、請求項２、請求項３又は請求項４に記載の灯具。
【発明の詳細な説明】
【技術分野】
【０００１】
本発明は、屈曲可能な面状発光体を有する灯具についての技術分野に関する。
【先行技術文献】
【特許文献】
【０００２】
【特許文献１】ＷＯ２０１５／０９８８２２号公報
【背景技術】
【０００３】
灯具、例えば、車輌用灯具には面状発光体が用いられたものがある（例えば、特許文献１参照）。特許文献１に記載された灯具においては、平板状の面状発光体が枠状部材や弾性部材等によって保持されている。
【０００４】
ところで、近年、有機ＥＬ（Electro Luminescence）層を有する面状発光体や発光ダイオードが導電層やフィルムによって挟持されて構成された面状発光体に関する技術が向上し、屈曲可能な面状発光体の開発も進展している。
【０００５】
このような屈曲可能な面状発光体を、例えば、車輌用灯具に用いる場合には、車体の形状に応じて面状発光体を屈曲させることが可能になり、車輌用灯具の種類に関する使用用途の拡大や設計の自由度の向上を図ることができる。
【発明の概要】
【発明が解決しようとする課題】
【０００６】
ところが、屈曲可能な面状発光体を用いる場合には、屈曲された面状発光体が屈曲前の元の状態に戻ろうとする弾性を有しているものも多く、面状発光体の屈曲された状態を保持する保持構造が必要である。また、製造コストの低減等を図るためには、簡素な保持構造によって安定した状態で面状発光体を保持することも望まれる。
【０００７】
そこで、本発明は、面状発光体を簡素な構造によって安定した状態で保持することを目的とする。
【課題を解決するための手段】
【０００８】
第１に、本発明に係る灯具は、厚み方向における少なくとも一方の面が光を出射する出光面として形成され屈曲可能な面状発光体と、前記面状発光体が係合される係合部を有するホルダーとを備え、前記面状発光体は少なくとも一部が屈曲された状態で前記係合部に係合されることにより前記ホルダーによって保持されるものである。
【０００９】
これにより、面状発光体がホルダーの係合部に係合されることにより屈曲された状態で保持される。
【００１０】
第２に、上記した本発明に係る灯具においては、前記ホルダーに前記面状発光体の一部が挿入される挿入部が設けられ、前記挿入部の少なくとも一部が前記係合部として設けられることが望ましい。
【００１１】
これにより、面状発光体を挿入部に挿入することにより面状発光体の係合部への係合を行うことが可能になる。
【００１２】
第３に、上記した本発明に係る灯具においては、前記挿入部には対向して位置された第１の面と第２の面が形成され、前記係合部が前記第１の面から前記第２の面側に突出され、前記挿入部に前記第２の面から前記第１の面側に突出され前記挿入部に挿入された前記面状発光体を押さえる押さえ突部が設けられることが望ましい。
【００１３】
これにより、面状発光体が挿入部に挿入され係合部に係合された状態で押さえ突部によって押さえられる。
【００１４】
第４に、上記した本発明に係る灯具においては、前記挿入部として挿入溝が形成され、前記挿入溝の幅方向における両側の面が前記係合部として形成され、前記挿入溝の少なくとも一部がクランク形状又は蛇行形状に形成されることが望ましい。
【００１５】
これにより、面状発光体の厚み方向における両面の各部分が係合部に係合される。
【００１６】
第５に、上記した本発明に係る灯具においては、前記係合部が二つ設けられ、前記面状発光体は一端部が一方の前記係合部に係合され他端部が他方の前記係合部に係合されることが望ましい。
【００１７】
これにより、面状発光体の二つの部分がそれぞれ係合部に係合されてホルダーに保持される。
【発明の効果】
【００１８】
本発明によれば、面状発光体がホルダーの係合部に係合されることにより屈曲された状態で保持されるため、面状発光体を簡素な構造によって安定した状態で保持することができる。
【図面の簡単な説明】
【００１９】
【図１】図２乃至図１１と共に本発明灯具の実施の形態を示すものであり、本図は、灯具の構成例を示す斜視図である。
【図２】面状発光体のホルダーへの組付が行われている状態を示す断面図である。
【図３】図２に引き続き面状発光体のホルダーへの組付が行われている状態を示す断面図である。
【図４】図３に引き続き面状発光体のホルダーへの組付が行われた状態を示す断面図である。
【図５】挿入ピンが用いられて面状発光体がホルダーに組み付けられる例を示す断面図である。
【図６】係合孔が用いられて面状発光体がホルダーに組み付けられる例を示す分解斜視図である。
【図７】係合爪が用いられて面状発光体がホルダーに組み付けられる例を示す断面図である。
【図８】図９と共に第１の変形例に係るホルダーにより面状発光体が保持される例を示すものであり、本図は、面状発光体の両端部が係合部に係合されている状態を示す断面図である。
【図９】挿入部に押さえ突部と位置決め突部が設けられた例を示す断面図である。
【図１０】図１１と共に第２の変形例に係るホルダーにより面状発光体が保持される例を示すものであり、本図は、二つの挿入部と面状発光体を示す分解斜視図である。
【図１１】挿入部に面状発光体が挿入されて挿入部に保持された状態を一部を断面にして示す平面図である。
【発明を実施するための形態】
【００２０】
以下に、本発明灯具を実施するための形態について添付図面を参照して説明する。
【００２１】
以下に示した実施の形態は、本発明灯具を後方に照明光を照射する車輌用灯具に適用したものである。尚、本発明は、ヘッドランプ、テールランプ、クリアランスランプ、ターンシグナルランプ、ストップランプ、デイタイムランニングランプ、コーナーリングランプ、ハザードランプ、ポジションランプ、バックランプ、フォグランプ又はこれらの組み合わせであるコンビネーションランプ等の各種の車輌用灯具に広く適用することができる。
【００２２】
以下の説明にあっては、光の外部への照射方向を後方として前後上下左右の方向を示すものとする。但し、以下に示す前後上下左右の方向は説明の便宜上のものであり、本発明の実施に関しては、これらの方向に限定されることはない。
【００２３】
＜灯具の構成例＞
以下に、灯具１の構成例について説明する（図１及び図２参照）。灯具１は、それぞれ車体の左右両端部に取り付けられて配置されている。灯具１は後方に開口された凹部を有するランプハウジング２とランプハウジング２の開口を閉塞するカバー３とを備えている。ランプハウジング２とカバー３によって灯具外筐４が構成され、灯具外筐４の内部空間が灯室５として形成されている。
【００２４】
灯室５にはホルダー６が配置されている。尚、灯室５には光を反射するリフレクターや光制御ステップを有するインナーレンズや所定の部材を取り付けるためのブラケット等のホルダー６以外の他の部材が配置されていてもよい。
【００２５】
ホルダー６は後面部７と上面部８と下面部９と一対の側面部１０、１０とを有している。
【００２６】
後面部７は後方に凸になるように緩やかに屈曲（湾曲）されている。後面部７には外周部を除く部分に透過孔７ａが形成されている。
【００２７】
上面部８と下面部９はそれぞれ後面部７の上下両端部から前方に突出されている。側面部１０、１０はそれぞれ後面部７の左右両端部から前方に突出されている。側面部１０、１０には互いに近付く方向へ突出された係合部１１、１２が設けられ、係合部１１、１２は上下に延びる形状に形成されている。
【００２８】
ホルダー６には、係合部１１と後面部７の左右方向における一端部と上面部８の左右方向における一端部と下面部９の左右方向における一端部とによって第１の挿入部６ａが形成され、係合部１２と後面部７の左右方向における他端部と上面部８の左右方向における他端部と下面部９の左右方向における他端部とによって第２の挿入部６ｂが形成されている。
【００２９】
ホルダー６は、灯具１の一部を構成するランプハウジング２やブラケット等の他の部材に取り付けられる。
【００３０】
ホルダー６には面状発光体１３が保持されている。面状発光体１３は、例えば、透明な一対の樹脂フィルムの間に光源として複数のＬＥＤ（発光ダイオード）が配置された屈曲可能なフィルム状の発光体であり、各光源からそれぞれ光が出射される構成にされている。面状発光体１３は、例えば、特開２０１５−２０１３０１号公報に示されるように、接着層の両側にそれぞれ導電層が積層され導電層の外面側にそれぞれベースフィルムが積層され、厚み方向において接着層と同一の位置に複数のＬＥＤが点在して配置されている。
【００３１】
面状発光体１３は光源（ＬＥＤ）を除いて透明に形成され、後面が出光面として形成されている。光源は面状発光体１３の外周部以外の部分に配置されている。面状発光体１３は、左右方向における一端部が第１の差込部１３ａとして設けられ、左右方向における他端部が第２の差込部１３ｂとして設けられている。面状発光体１３には導電層に図示しないフレキシブルプリント配線板の一端部が接続され、面状発光体１３の各光源にはフレキシブルプリント配線板と導電層を介して電源から電力が供給される。
【００３２】
尚、面状発光体１３としては、例えば、自発光する有機ＥＬ（Electro Luminescence）層を有する屈曲可能な有機ＥＬパネルが用いられていてもよい。
【００３３】
以下に、面状発光体１０のホルダー６への取付の手順について説明する（図２乃至図４参照）。
【００３４】
面状発光体１３は、先ず、第１の差込部１３ａがホルダー６の第１の挿入部６ａに挿入されて係合部１１に係合される（図２参照）。このとき面状発光体１３は屈曲されて第１の挿入部６ａに挿入される。
【００３５】
次いで、面状発光体１３は、左右方向における中央部が他の部分より前側に位置するように前方に凸になる状態に屈曲される（図３参照）。
【００３６】
続いて、面状発光体１３は、第２の差込部１３ｂがホルダー６の第２の挿入部６ｂに挿入されて係合部１２に係合され、ホルダー６に保持される（図４参照）。第２の差込部１３ｂが第２の挿入部６ｂに挿入されるときには、面状発光体１３が後方に凸になるように緩やかに屈曲（湾曲）され、後面の外周部がホルダー６の後面部７における前面に密着される。
【００３７】
面状発光体１３がホルダー６に保持された状態において、面状発光体１３の光源から光が出射されると、出射された光はホルダー６の透過孔７ａを通ってレンズ３を透過されて外部へ照射される（図１及び図４に示す光Ｌ）。このとき面状発光体１３の後方にインナーレンズが配置されている場合には、光源から出射された光がインナーレンズの光制御ステップによって制御され、拡散されて外部へ向けて照射される。
【００３８】
尚、上記には、面状発光体１３の左右両端部が係合部１１と係合部１２に係合されてホルダー６に保持される例を示したが、例えば、面状発光体１３の上下両端部がそれぞれホルダーの係合部に係合される構成にされてもよい。
【００３９】
また、上記には、側面部１０、１０に加えて上面部８と下面部９が設けられたホルダー６の例を示したが、例えば、ホルダー６又は面状発光体１３に位置決めピンや位置決め孔が形成され、位置決めピンや位置決め孔等によってホルダー６に対する面状発光体１３の上下方向における位置決めが行われる構成であれば、ホルダー６に上面部８と下面部９が設けられていなくてもよい。
【００４０】
さらに、ホルダー６の後面部７に前方に突出された取付ピン７ｂが設けられ、面状発光体１３に取付孔１３ｃが形成された構成にされていてもよい（図５参照）。このような構成において、面状発光体１３は左右方向における一端部が係合部１１（１２）に係合され、左右方向における他端部に形成された取付孔１３ｃに取付ピン７ｂが挿入されて取付ピン７ｂに対して熱カシメが行われ、ホルダー６に保持されてもよい。
【００４１】
さらにまた、ホルダー６の一方の側面部１０が係合部１２Ｘとして設けられ、係合部１２Ｘとして設けられた側面部１０に係合孔１０ａ、１０ａが上下に離隔して形成され、面状発光体１３の一端部に差込突部１３ｄ、１３ｄが上下に離隔して設けられた構成にされていてもよい（図６参照）。このような構成において、面状発光体１３は左右方向における一端部が係合部１１（１２）に係合され、左右方向における他端部に設けられた差込突部１３ｄ、１３ｄがそれぞれ係合孔１０ａ、１０ａに挿入されて側面部１０（係合部１２Ｘ）に係合され、ホルダー６に保持されてもよい。
【００４２】
このような構成にすることにより、差込突部１３ｄ、１３ｄと係合孔１０ａ、１０ａによって面状発光体１３のホルダー６に対する上下方向における位置決めが行われ、ホルダー６に上下方向における位置決めを行うために上面部８と下面部９を設ける必要がなく、ホルダー６の構造の簡素化を図ることができる。
【００４３】
また、係合部１１（１２）には後面部７側に突出された係合爪１４が設けられていてもよい（図７参照）。係合爪１４は左右方向においてホルダー６の内側から外側へ行くに従って後面部７に近付く傾斜面１４ａと傾斜面１４ａにおける外側の端縁に連続され左方又は右方を向く係止面１４ｂとを有している。この場合にホルダー６は係合部１１（１２）と後面部７の間隔が面状発光体１３の厚みより大きくされている。
【００４４】
面状発光体１３には係止孔１３ｅが形成されており、面状発光体１３は左右方向における一端縁が傾斜面１４ａに摺動されて第１の挿入部６ａ（第２の挿入部６ｂ）の奥側に挿入されて行き、係止孔１３ｅに係合爪１４が挿入され係止孔１３ｅの開口縁が係止面１４ｂに係止されて係合部１１に係合される。
【００４５】
このようにホルダー６に係合爪１４を設けることにより、面状発光体１３のホルダー６からの脱落（抜け）を簡素な構造によって防止することができる。
【００４６】
尚、上記には、係合爪１４が後面部７側に突出されて設けられた例を示したが、係合爪１４は後面部７において係合部１１（１２）側に突出されて設けられていてもよい。
【００４７】
上記したように、灯具１にあっては、ホルダー６に面状発光体１３の一部が挿入される第１の挿入部６ａ又は第２の挿入部６ｂが設けられ、第１の挿入部６ａ又は第２の挿入部６ｂの少なくとも一部が係合部１１又は係合部１２として設けられている。
【００４８】
従って、面状発光体１３を第１の挿入部６ａ又は第２の挿入部６ｂに挿入することにより面状発光体１３の係合部１１、１２への係合を行うことが可能になり、面状発光体１３の係合部１１、１２への係合が容易になり、面状発光体１３のホルダー６への組付作業における作業性の向上を図ることができる。
【００４９】
また、面状発光体１３の一端部が係合部１１に係合され面状発光体１３の他端部が係合部１２（１２Ｘ）に係合される構成においては、面状発光体１３の両端部がそれぞれ係合部１１、１２（１２Ｘ）に係合されてホルダー６に保持されるため、一層簡素な構成によって面状発光体１３の安定した保持状態を確保することができる。
【００５０】
＜ホルダーの第１の変形例＞
次に、第１の変形例に係るホルダー６Ａについて説明する（図８及び図９参照）。
【００５１】
ホルダー６Ａは水平断面において後方に開口するコ字状に形成されたベース部２１とベース部２１の内側に位置された保持部２２とを有している（図８参照）。
【００５２】
尚、ベース部２１と保持部２２は一体に形成されていてもよく別部材として形成されていてもよい。ベース部２１と保持部２２が別部材である場合には、ベース部２１と保持部２２はそれぞれ灯具１の構成部品であるランプハウジング２やブラケットやエクステンションの全体又はその一部であってもよい。
【００５３】
ベース部２１は前後方向を向く前壁部２３と前壁部２３の左右両端部からそれぞれ後方に突出された側壁部２４、２４とを有している。保持部２２は前壁部２３の左右両端部を除く部分から後方に突出されている。
【００５４】
ホルダー６Ａにはベース部２１と保持部２２の側壁部２４、２４とによって少なくとも後方に開口された空間を有する挿入部６ｃ、６ｃが左右両端部に設けられている。挿入部６ｃの左右方向において保持部２２と側壁部２４が対向する面はそれぞれ第１の面２２ａと第２の面２４ａとされている。
【００５５】
保持部２２の第１の面２２ａ、２２ａからはそれぞれ第２の面２４ａ、２４ａ側に突出された係合部２５、２５が設けられている。係合部２５は前方へ行くに従って側壁部２４に近付く傾斜面２５ａと傾斜面２５ａにおける前端縁に連続され前方を向く係止面２５ｂとを有している。
【００５６】
面状発光体１３には左右両端部に係止孔１３ｅ、１３ｅが形成されている。面状発光体１３は左右両側の部分が、例えば、略直角に屈曲された状態で挿入部６ｃ、６ｃにそれぞれ後方から挿入される。面状発光体１３の左右両側の部分が挿入部６ｃ、６ｃに挿入されるときには、左右両側の先端縁がそれぞれ傾斜面２５ａ、２５ａに摺動されて奥側（前側）に挿入されて行き、係止孔１３ｅ、１３ｅにそれぞれ係合部２５、２５が挿入され係止孔１３ｅ、１３ｅの開口縁がそれぞれ係止面２５ｂ、２５ｂに係止されて係合部２５、２５に係合される。
【００５７】
このようにホルダー６Ａに係合部２５、２５を設けることにより、面状発光体１３を挿入部６ｃ、６ｃに挿入することによって面状発光体１３がホルダー６Ａに組み付けられるため、面状発光体１３をホルダー６Ａに容易かつ確実に組み付けることができる。
【００５８】
尚、上記には、係合部２５が第１の面２２ａから第２の面２４ａ側に突出されて設けられた例を示したが、係合部２５は第２の面２４ａから第１の面２２ａ側に突出されて設けられていてもよい。
【００５９】
また、ホルダー６Ａの挿入部６ｃには押さえ突部２６と位置決め突部２７が設けられていてもよい（図９参照）。
【００６０】
押さえ突部２６は挿入部６ｃの内側において係合部２５より前側に設けられ、第２の面２４ａから第１の面２２ａ側に突出されている。挿入部６ｃに挿入された面状発光体１３の端部は押さえ突部２６によって押さえられ、押さえ突部２６と第１の面２２ａに両側から接した状態にされる。
【００６１】
位置決め突部２７は挿入部６ｃの内側において係合部２５より後側に設けられ、第１の面２２ａから第２の面２４ａ側に突出されている。挿入部６ｃに挿入された面状発光体１３の一部は位置決め突部２７に接した状態にされ、位置決め突部２７と第２の面２４ａに両側から接した状態にされる。
【００６２】
このように挿入部６ｃに挿入された面状発光体１３の一部が位置決め突部２７に接した状態にされることにより、面状発光体１３のホルダー６Ａに対する左右方向における位置決めが行われ、面状発光体１３のホルダー６Ａに対する位置精度の向上が図られる。
【００６３】
また、上記したように、挿入部６ｃ、６ｃに面状発光体１３を押さえる押さえ突部２６、２６が設けられることにより、面状発光体１３が挿入部６ｃ、６ｃに挿入され係合部２５、２５に係合された状態で押さえ突部２６、２６によって押さえられるため、面状発光体１３の挿入部６ｃ、６ｃからの脱落（抜け）を簡素な構造によって確実に防止することができる。
【００６４】
＜ホルダーの第２の変形例＞
次いで、第２の変形例に係るホルダー６Ｂ、６Ｂについて説明する（図１０及び図１１参照）。
【００６５】
ホルダー６Ｂ、６Ｂは上下方向を向き後方に凸になるように屈曲（湾曲）された板状に形成され、上下に離隔した状態で面状発光体１３を保持する（図１０参照）。ホルダー６Ｂ、６Ｂには上下で対向する面側に開口された溝状の挿入部３１、３１、・・・、・・・が形成されている。
【００６６】
ホルダー６Ｂには二つの挿入部３１、３１が左右に離隔して形成され、ホルダー６Ｂの挿入部３１、３１間の部分が位置決め部３２として設けられている。挿入部３１はホルダー６Ｂの屈曲された形状に沿う方向に延びるように形成され、クランク形状の部分が左右方向において連続された構成にされている。挿入部３１は略左右方向に延びる長手部３１ａ、３１ａ、・・・と略前後方向に延びる短手部３１ｂ、３１ｂとが交互に連続されている。
【００６７】
ホルダー６Ｂにおいては挿入部３１、３１の幅方向における両側の面がそれぞれ係合部３１ｃ、３１ｄとして形成される（図１１参照）。
【００６８】
面状発光体１３には上下両端部の左右方向における中央部に位置決め用切欠１３ｆ、１３ｆが形成され、位置決め用切欠１３ｆ、１３ｆは上方又は下方に開口されている（図１０参照）。面状発光体１３の厚みは挿入部３１の幅より僅かに小さくされている。
【００６９】
面状発光体１３は上下両端部がそれぞれ挿入部３１、３１、・・・に挿入されてホルダー６Ｂ、６Ｂに保持される（図１１参照）。このとき面状発光体１３の位置決め用切欠１３ｆ、１３ｆにそれぞれホルダー６Ｂ、６Ｂの位置決め部３２、３２が挿入され、面状発光体１３のホルダー６Ｂ、６Ｂに対する位置決めが行われる。
【００７０】
面状発光体１３がホルダー６Ｂ、６Ｂに保持された状態においては、挿入部３１、３１、・・・に挿入された面状発光体１３の上下両端部がそれぞれ挿入部３１、３１、・・・のクランク形状に応じて略前後方向に弾性変形され、上下両端部における前後両面の各部が挿入部３１、３１、・・・の係合部３１ｃ、３１ｃ、・・・、３１ｄ、３１ｄ、・・・に係合される。このとき面状発光体１３の上下両端部には前後方向において弾性復帰される方向への力が生じるため、生じた力によって挿入部１３の上下両端部が弾性変形された方向に応じて係合部３１ｃ、３１ｃ、・・・又は係合部３１ｄ、３１ｄ、・・・に押し付けられた状態で係合される。
【００７１】
尚、上記には、ホルダー６Ｂ、６Ｂが上下に離隔して位置され面状発光体１３の上下両端部がそれぞれ挿入部３１、３１、・・・に挿入されて保持される例を示したが、ホルダー６Ｂ、６Ｂが左右に離隔して位置され面状発光体１３の左右両端部がそれぞれ挿入部３１、３１、・・・に挿入されて保持されてもよい。
【００７２】
上記したホルダー６Ｂにおいては、溝状の挿入部３１の幅方向における両側の面が係合部３１ｃ、３１ｄとして形成され、挿入部３１がクランク形状に形成されている。
【００７３】
従って、面状発光体１３の厚み方向における両面のうち挿入部３１の長手方向において離隔する各部分が係合部３１ｃ、３１ｄに係合されるため、簡素な構成によって面状発光体１３の安定した保持状態を確保することができる。
【００７４】
また、面状発光体１３は挿入部３１に挿入された部分が弾性変形され弾性復帰される方向への力が生じた状態で係合部３１ｃ又は係合部３１ｄに押し付けられて係合されるため、面状発光体１３がホルダー６Ｂ、６Ｂから脱落し難く、面状発光体１３の一層安定した保持状態を確保することができる。
【００７５】
尚、上記には、ホルダー６Ｂの挿入部３１がクランク形状に形成された例を示したが、挿入部３１は蛇行形状に形成されていてもよい。
【００７６】
＜まとめ＞
以上に記載した通り、灯具１にあっては、面状発光体１３が係合される係合部１１、１２、１２Ｘ、２５、３１ｃ、３１ｄを有するホルダー６、６Ａ、６Ｂを備え、面状発光体１３は屈曲された状態で少なくとも一部が係合部１１、１２、１２Ｘ、２５、３１ｃ、３１ｄに係合されることによりホルダー６、６Ａ、６Ｂによって保持される。
【００７７】
従って、面状発光体１３がホルダー６、６Ａ、６Ｂの係合部１１、１２、１２Ｘ、２５、３１ｃ、３１ｄに係合されることにより屈曲された状態で保持されるため、面状発光体６、６Ａ、６Ｂを簡素な構造によって安定した状態で保持することができる。
【００７８】
尚、面状発光体１３は、全体が屈曲された状態でホルダー６、６Ａ、６Ｂによって保持されてもよく、また、一部が屈曲された状態でホルダー６、６Ａ、６Ｂによって保持されてもよい。
【００７９】
また、ホルダー６、６Ａ、６Ｂは面状発光体１３を保持する専用の部品として設けられていてもよいが、灯具１の構成部品であるランプハウジング２やブラケットやエクステンションやインナーレンズ等の他の部品が用いられていてもよい。尚、ホルダー６、６Ａ、６Ｂとしてインナーレンズが用いられる場合には、後面部が透過孔７ａを有しない形状に形成されていてもよく、後面部に拡散機能等を有するレンズステップが形成されていればよい。
【符号の説明】
【００８０】
１…灯具、１３…面状発光体、６…ホルダー、６ａ…第１の挿入部、６ｂ…第２の挿入部、１０…側面部（係合部）、１１…係合部、１２…係合部、１３…面状発光体、１２Ｘ…係合部、６Ａ…ホルダー、６ｃ…挿入部、２２ａ…第１の面、２４ａ…第２の面、２５…係合部、２６…押さえ突部、６Ｂ…ホルダー、３１…挿入部、３１ｃ…係合部、３１ｄ…係合部
【図１】
2018160396.tif 000003
【図２】
2018160396.tif 000004
【図３】
2018160396.tif 000005
【図４】
2018160396.tif 000006
【図５】
2018160396.tif 000007
【図６】
2018160396.tif 000008
【図７】
2018160396.tif 000009
【図８】
2018160396.tif 000010
【図９】
2018160396.tif 000011
【図１０】
2018160396.tif 000012
【図１１】
2018160396.tif 000013